(57)【要約】      （修正有）【課題】かごを懸吊する主ロープの端末部に大きな衝撃が作用した場合でも、この衝撃を吸収し得るエレベータの衝撃吸収装置を得る。【解決手段】エレベータのかごを懸吊する主ロープと、この主ロープに作用する荷重を支持する主ロープ支持体２ｃと、この主ロープ支持体を遊貫し、主ロープが連結されたロープシャックル５と、このロープシャックルに設けられたバネ押え６と、主ロープ支持体及びバネ押えの間に設けられ、エレベータの通常運転時に発生する衝撃を吸収するシャックルバネ７と、主ロープ支持体及びバネ押えの間に設けられ、シャックルバネに対する荷重が所定値を超過する衝撃が発生した際に、この衝撃を吸収する衝撃吸収材８とを備える。【選択図】図２
2006131339.tif 000002
【特許請求の範囲】
【請求項１】
エレベータのかごを懸吊する主ロープと、この主ロープに作用する荷重を支持する主ロープ支持体と、この主ロープ支持体を遊貫し、前記主ロープが連結されたロープシャックルと、このロープシャックルに設けられたバネ押えと、前記主ロープ支持体及び前記バネ押えの間に設けられ、エレベータの通常運転時に発生する衝撃を吸収するシャックルバネと、前記主ロープ支持体及び前記バネ押えの間に設けられ、前記シャックルバネに対する荷重が所定値を超過する衝撃が発生した際に、この衝撃を吸収する衝撃吸収材とを備えたことを特徴とするエレベータの衝撃吸収装置。
【請求項２】
衝撃吸収材は、エレベータの通常運転時に発生する衝撃が作用しないように、エレベータの通常運転時、主ロープ支持体又はバネ押えとの間に所定の間隙が形成されていることを特徴とする請求項１に記載のエレベータの衝撃吸収装置。
【請求項３】
シャックルバネのたわみ量に基づいてかご内荷重を検出する秤装置が備えられたことを特徴とする請求項２に記載のエレベータの衝撃吸収装置。
【発明の詳細な説明】
【技術分野】
【０００１】
この発明は、ロープ式エレベータの主ロープ端末部における衝撃吸収装置に関するものである。
【背景技術】
【０００２】
ロープ式エレベータのかごや釣合い重りを懸吊する主ロープは、通常、その端部に連結されたロープシャックルを介して昇降路梁等の昇降路固定体やかご等の昇降体に固定されている。従来、主ロープの端部が連結されたロープシャックルは、昇降路固定体等に直接設けられるか、若しくはシャックルバネを介して昇降路固定体等に設けられていた。例えば、主ロープの一端部がシャックルバネを介してかご上部に設けられたものとして、シャックルバネとかご枠の上枠に設けられたヒッチプレートとの間に防振材を介在させ、シャックルバネとヒッチプレートとの間で発生する摺擦音や、駆動装置が作動する際に生じる振動の伝播を防止したものが開示されている（特許文献１参照）。
【０００３】
【特許文献１】特開２００１−３１３４６号公報
【発明の開示】
【発明が解決しようとする課題】
【０００４】
上記のようなロープ式エレベータでは、主ロープの端部が連結されたロープシャックルと昇降路固定体又は昇降体との間にシャックルバネや防振材を介在させることにより、駆動装置で発生する振動やかごの発進時及び停止時に発生する衝撃、即ち、エレベータ通常運転時に主ロープ側で発生する振動及び衝撃がかご側へ伝播しないように構成されている。このような構成を有するロープ式エレベータにおいて、釣合い重りが昇降路ピット部に衝突するような事故が発生した場合、かごを懸吊する主ロープの端末部には、エレベータの通常運転時には作用しないような大きな衝撃が瞬間的に作用する。ここで、昇降路ピット部に衝突する釣合い重りにはかかる衝撃に耐え得る緩衝器が備えられているため特に問題とはならないが、かごを懸吊する主ロープの端末部にはかかる衝撃を吸収するような装置が備えられておらず、この主ロープ端末部が損傷したり、主ロープ端末部を支持する昇降路梁やかご枠が変形する等の損傷を受けたりすることがあった。即ち、主ロープ端末部のシャックルバネや防振材は、エレベータの通常運転時における振動や衝撃に対応するように設計されたものであり、釣合い重りが昇降路ピット部に衝突する際に発生するような衝撃にまで対応することはできない。かかる事故が発生した場合には、エレベータ装置の復旧までに多大な時間と労力とを要することとなっていた。
【０００５】
また、主ロープ端末部のシャックルバネのたわみ量に基づいてかご内荷重を検出する秤装置が備えられたロープ式エレベータでは、特許文献１記載のようにシャックルバネとヒッチプレートとの間に防振材を介在させてしまうと、秤装置により正確なかご内荷重を検出することができないという問題があった。即ち、上記防振材に使用される防振ゴム等は、一般的に温度により硬度特性が変化する性質やヒステリシスを有しており、周囲温度の変化やかご内荷重の変動によりシャックルバネのたわみ量の再現性が悪化するという問題が生じていた。
【０００６】
この発明は、上述のような課題を解決するためになされたもので、その目的は、かごを懸吊する主ロープの端末部に大きな衝撃が作用した場合でも、この衝撃を吸収し得るエレベータの衝撃吸収装置を提供することである。
【０００７】
また、シャックルバネのたわみ量に基づいてかご内荷重を検出する秤装置が備えられたものにも対応することができるエレベータの衝撃吸収装置を提供することである。
【課題を解決するための手段】
【０００８】
この発明に係るエレベータの衝撃吸収装置は、エレベータのかごを懸吊する主ロープと、この主ロープに作用する荷重を支持する主ロープ支持体と、この主ロープ支持体を遊貫し、主ロープが連結されたロープシャックルと、このロープシャックルに設けられたバネ押えと、主ロープ支持体及びバネ押えの間に設けられ、エレベータの通常運転時に発生する衝撃を吸収するシャックルバネと、主ロープ支持体及びバネ押えの間に設けられ、シャックルバネに対する荷重が所定値を超過する衝撃が発生した際に、この衝撃を吸収する衝撃吸収材とを備えたものである。
【発明の効果】
【０００９】
この発明は、エレベータのかごを懸吊する主ロープと、この主ロープに作用する荷重を支持する主ロープ支持体と、この主ロープ支持体を遊貫し、主ロープが連結されたロープシャックルと、このロープシャックルに設けられたバネ押えと、主ロープ支持体及びバネ押えの間に設けられ、エレベータの通常運転時に発生する衝撃を吸収するシャックルバネと、主ロープ支持体及びバネ押えの間に設けられ、シャックルバネに対する荷重が所定値を超過する衝撃が発生した際に、この衝撃を吸収する衝撃吸収材とを備える構成としたことで、かごを懸吊する主ロープの端末部に大きな衝撃が作用した場合でも、この衝撃を確実に吸収することができる。
【発明を実施するための最良の形態】
【００１０】
この発明をより詳細に説明するため、添付の図面に従ってこれを説明する。なお、各図中、同一又は相当する部分には同一の符号を付しており、その重複説明は適宜に簡略化ないし省略する。
【００１１】
実施の形態１．
図１は、この発明の実施の形態１におけるエレベータの衝撃吸収装置の正面図である。図１において、エレベータ利用客が乗車するかご室１は、略四角環状を呈するかご枠２の下枠２ａに設けられたかご床３に立設されている。かご室１を支持するこのかご枠２は、かご床３が設けられた下枠２ａと、この下枠２ａの両端部にそれぞれ立設され、かご室１の両側に配置された縦枠２ｂと、この縦枠２ｂ上部に跨って設けられ、かご室１の上方に配置された上枠２ｃとから構成されており、かご室１を取り囲むように配置されている。また、エレベータのかご及び釣合い重り（図示せず）を釣瓶式に懸吊する主ロープ４は、その一端部がロープシャックル５の一端部に連結されており、このロープシャックル５を介してかご枠２の上枠２ｃに設けられている。即ち、かご枠２の上枠２ｃにより主ロープ４に作用する荷重が支持されている。
【００１２】
一端部に主ロープ４が連結された上記ロープシャックル５は、上枠２ｃに上下方向に設けられた貫通孔（図示せず）を上方から遊貫し、上枠２ｃの下方に位置するその他端部に略円盤状のバネ押え６が設けられている。このバネ押え６上面と上枠２ｃ下面との間には、その中空部にロープシャックル５が遊貫されたシャックルバネ７が設けられており、このシャックルバネ７によりかごは主ロープ４に弾性的に懸吊されている。なお、主ロープ４は、バネ押え６の取付位置を変更することにより、その長さを調節することが可能であり、各主ロープ４間のアンバランスを修正することができる。また、シャックルバネ７は、かごの発進時及び停止時等、エレベータの通常運転時に発生する衝撃の緩和、及び、主ロープ４の傾きを吸収するフローティング機能を有している。
【００１３】
また、バネ押え６上面と上枠２ｃ下面との間には、その中空部にロープシャックル５が遊貫された略円筒形状を呈する衝撃吸収材８が設けられている。この衝撃吸収材８は、シャックルバネ７の内側に配置されるとともに、エレベータの通常運転時にバネ押え６上面又は上枠２ｃ下面の間に所定の間隙が形成されるようにその長さが設定されている。即ち、実施の形態１のように衝撃吸収材８が上枠２ｃの下方に配置される場合には、衝撃吸収材８は、下方に配置されたバネ押え６に載置されるとともに、上方に配置された上枠２ｃとの間に所定の間隙が形成される。なお、この間隙は、かご室１に定格荷重が作用した場合にも形成されるものであり、エレベータの通常運転時に発生する衝撃は、衝撃吸収材８には作用しない。また、図２はこの発明の実施の形態１におけるエレベータの衝撃吸収装置の要部詳細図であり、（ａ）はかご室１に荷重が作用していない場合と定格荷重が作用した場合におけるエレベータ通常運転時の主ロープ４端末部の状態を示したものである。
【００１４】
かかる構成を有するエレベータ装置において、何らかの原因により釣合い重りが昇降路ピット部に衝突する事故が発生した場合、かごを懸吊する主ロープ４の端末部には、通常運転時には作用しないような大きな衝撃が瞬間的に作用する。図２（ｂ）は主ロープ４の端末部に上記のような大きな衝撃が作用した場合の主ロープ４端末部の状態を示したものである。かごの発進時や停止時等、エレベータの通常運転時に発生する衝撃によって主ロープ４の端末部に作用する荷重は、シャックルバネ７の圧縮により吸収される。しかし、エレベータの非常時等、主ロープ４の端末部に作用する荷重が所定値を超過するような衝撃が発生した場合、シャックルバネ７だけではその衝撃の全てを吸収することはできない。主ロープ４の端末部に作用する荷重がある一定値に達すると、シャックルバネ７のたわみ量が衝撃吸収材８と上枠２ｃとの間に形成された間隙の長さと略同程度となり、衝撃吸収材８の上面と上枠２ｃの下面とが接触する。この状態からさらに主ロープ４端末部に荷重が作用すると、シャックルバネ７及び衝撃緩衝材８が共に圧縮され、この双方により当該衝撃を吸収する。なお、衝撃緩衝材８は、エレベータの非常時に発生する衝撃に基づいてばね定数等が設定されており、エレベータの非常時に発生する衝撃を十分に吸収し得る構造を有している。
【００１５】
この発明の実施の形態１によれば、釣合い重りが昇降路ピット部に衝突した場合のように、かご室１を懸吊する主ロープ４の端末部に通常運転時には発生しないような大きな衝撃が作用しても、バネ押え６と上枠２ｃ下面との間に設けられた衝撃緩衝材８によってかかる衝撃を完全に吸収することができるため、主ロープ４端末部が破損したり、この主ロープ４端末部を支持する上枠２ｃが変形したりする恐れはない。また、エレベータの通常運転時には衝撃緩衝材８に荷重は作用せず、バネ押え６に載置されているだけであるので、シャックルバネ７のたわみ量に基づいてかご内荷重を検出する秤装置が備えられたエレベータ装置にも対応することが可能となる。
【００１６】
なお、この発明においては、主ロープ４の一端部がかご枠２の上枠２ｃに設けられた場合について説明したが、主ロープ４が上枠２ｃに設けられた返し車に巻き掛けられるとともに、その一端部が昇降路頂部等の昇降路固定体に設けられた場合（２：１ローピング方式等）でも、衝撃緩衝材８を備えることにより実施の形態１と同様の効果を得ることが可能である。即ち、特許請求の範囲における主ロープ支持体は、上枠２ｃのような昇降体だけでなく、昇降路梁等の昇降路固定体であっても良い。
【図面の簡単な説明】
【００１７】
【図１】この発明の実施の形態１におけるエレベータの衝撃吸収装置の正面図である。
【図２】この発明の実施の形態１におけるエレベータの衝撃吸収装置の要部詳細図である。
【符号の説明】
【００１８】
１  かご室
２  かご枠
２ａ  下枠
２ｂ  縦枠
２ｃ  上枠
３  かご床
４  主ロープ
５  ロープシャックル
６  バネ押え
７  シャックルバネ
８  衝撃吸収材
【図１】
2006131339.tif 000003
【図２】
2006131339.tif 000004